(57)【特許請求の範囲】
【請求項１】
複数ページ原稿を順次読み取る第１の画像読取装置と、
１枚原稿を読み取る第２の画像読取装置と、
前記第１の画像読取装置で読み取る複数ページ原稿からページを選択するページ選択手段と、
前記第１の画像読取装置で読み取った複数ページ原稿における複数の読取画像情報のうち、前記ページ選択手段で選択されたページの読取画像情報に、前記第２の画像読取装置で読み取った１枚原稿における読取画像情報を合成する画像情報合成手段とを有することを特徴とする原稿読み取り装置。
【請求項２】
前記第１の画像読取装置は、前記複数ページ原稿を１ページずつ順次移動させながら固定した第１の読取部で読み取ることを特徴とする請求項１に記載の原稿読み取り装置。
【請求項３】
前記第２の画像読取装置は、静止した１枚原稿を移動する第２の読取部で読み取ることを特徴とする請求項１または２に記載の原稿読み取り装置。
【請求項４】
前記ページ選択手段は、全ページの選択を一括して行う全ページ合成選択手段を有することを特徴とする請求項１〜３のいずれか１項に記載の原稿読み取り装置。
【請求項５】
前記第１の画像読取装置及び前記第２の画像読取装置は、解像度、濃度、階調及び倍率のうち、少なくとも１つは夫々の画像読取装置に対して設定可能な設定手段を備えることを特徴とする請求項１〜４のいずれか１項に記載の原稿読み取り装置。
【請求項６】
前記第１の画像読取装置による前記複数ページ原稿の読み取り動作のうち、前記ページ選択手段により選択されたページの読み取り動作と、前記第２の画像読取装置による前記１枚原稿の読み取り動作とを同時に行って、夫々の読み取り動作で読み取った読取画像情報を前記画像情報合成手段で合成することを特徴とする請求項１〜５のいずれか１項に記載の原稿読み取り装置。
【請求項７】
前記第２の画像読取装置で読み取った読取画像情報を記憶する読取画像情報記憶手段を更に有し、
前記画像情報合成手段は、前記ページ選択手段により選択されたページが複数であった場合には、前記読取画像情報記憶手段に記憶された読取画像情報を前記選択されたページの読取画像情報に合成することを特徴とする請求項１〜６のいずれか１項に記載の原稿読み取り装置。
【請求項８】
請求項１〜７のいずれか１項に記載の原稿読み取り装置と、
前記画像情報合成手段により合成された合成画像情報を記録する記録手段とを有することを特徴とする画像複写装置。
【請求項９】
請求項１〜７のいずれか１項に記載の原稿読み取り装置と、
前記画像情報合成手段により合成された合成画像情報を回線に送信する通信手段とを有することを特徴とするファクシミリ装置。
【請求項１０】
前記画像情報合成手段は、読み取り動作を行いながら前記回線に送信するモードでは画像読み取り動作中にその読取画像情報を合成し、一方、読み取った読取画像情報をメモリに蓄積してから前記回線に送信するメモリ送信モードでは送信直前に当該読取画像情報を合成することを特徴とする請求項９に記載のファクシミリ装置。
【請求項１１】
複数ページ原稿を移動させながら固定した第１の読取部で読み取る第１の画像読取装置と、
静止した原稿を移動する第２の読取部で読み取る第２の画像読取装置と、
前記第１の画像読取装置で読み取った第１の読取画像情報と前記第２の画像読取装置で読み取った第２の読取画像情報とを合成する画像情報合成手段と、
前記画像情報合成手段により合成された合成画像情報を回線に送信する通信手段とを有し、
前記画像情報合成手段は、読み取り動作を行いながら前記回線に送信するモードでは画像読み取り動作中に前記第１の読取画像情報と前記第２の読取画像情報とを合成し、一方、読み取った読取画像情報をメモリに蓄積してから前記回線に送信するメモリ送信モードでは送信直前に前記第１の読取画像情報と前記第２の読取画像情報とを合成することを特徴とするファクシミリ装置。
【請求項１２】
請求項８に記載の画像複写装置と、
請求項９〜１１のいずれか１項に記載のファクシミリ装置とを具備することを特徴とする複合装置。
【請求項１３】
複数ページ原稿の読み取り動作と、１枚原稿の読み取り動作とを同時に行う原稿読み取り装置の制御方法であって、
前記複数ページ原稿のうち、前記１枚原稿の読取画像情報を合成させるページを選択するページ選択工程と、
前記複数ページ原稿を順次読み取る複数ページ読取工程と、
前記１枚原稿を読み取る１枚原稿読取工程と、
前記ページ選択工程で選択されたページを前記複数ページ読取工程において読み取った第１の読取画像情報と、前記１枚原稿読取工程において読み取った第２の読取画像情報とを合成する画像情報合成工程とを有することを特徴とする原稿読み取り装置の制御方法。
【請求項１４】
前記画像情報合成工程における合成モードを指定する合成モード指定工程を更に有し、
前記合成モード指定工程において合成モードを指定することにより、前記ページ選択工程でページの選択動作が行われなかった場合に、前記複数ページ原稿の全ページを選択することを特徴とする請求項１３に記載の原稿読み取り装置の制御方法。
【請求項１５】
前記複数ページ読取工程及び前記１枚原稿読取工程における解像度、濃度、階調及び倍率のうち、少なくとも１つを夫々の工程に対して選択する読取モード選択工程を更に有することを特徴とする請求項１３または１４に記載の原稿読み取り装置の制御方法。
【請求項１６】
前記１枚原稿読取工程は、前記複数ページ読取工程における前記ページ選択工程で選択されたページの読み取り動作と同時に行われることを特徴とする請求項１３〜１５のいずれか１項に記載の原稿読み取り装置の制御方法。
【請求項１７】
前記１枚原稿読取工程で読み取った前記第２の読取画像情報を記憶する１枚原稿記憶工程を更に有し、
前記画像情報合成工程は、前記第１の読取画像情報と、前記１枚原稿記憶工程で記憶した前記第２の読取画像情報とを合成することを特徴とする請求項１３〜１６のいずれか１項に記載の原稿読み取り装置の制御方法。
【請求項１８】
前記画像情報合成工程により合成された合成画像情報を記録手段に記録する記録工程を更に有することを特徴とする請求項１３〜１７のいずれか１項に記載の原稿読み取り装置の制御方法。
【請求項１９】
前記画像情報合成工程により合成された合成画像情報を回線を介して送信する送信工程を更に有することを特徴とする請求項１３〜１８のいずれか１項に記載の原稿読み取り装置の制御方法。
【請求項２０】
複数ページ原稿の読み取り動作と、１枚原稿の読み取り動作とを同時に行う原稿読み取り装置の制御方法であって、
前記複数ページ原稿を順次読み取る複数ページ読取工程と、
前記１枚原稿を読み取る１枚原稿読取工程と、
前記複数ページ読取工程で読み取った第１の読取画像情報と、前記１枚原稿読取工程で読み取った第２の読取画像情報とを合成する画像情報合成工程と、
前記画像情報合成工程により合成された合成画像情報を回線を介して送信する送信工程とを有し、
前記画像情報合成工程は、読み取り動作を行いながら前記回線に送信するモードでは画像読み取り動作中に前記第１の読取画像情報と前記第２の読取画像情報とを合成し、一方、読み取った読取画像情報をメモリに蓄積してから前記回線に送信するメモリ送信モードでは送信直前に前記第１の読取画像情報と前記第２の読取画像情報を合成することを特徴とする原稿読み取り装置の制御方法。
【発明の詳細な説明】
【０００１】
【発明の属する技術分野】
本発明は、原稿読み取り装置、画像複写装置、ファクシミリ装置、複合装置及び原稿読み取り装置の制御方法に関し、特に、原稿台固定型の平面走査装置とシート原稿搬送装置とを備えた装置及びその制御方法に関するものである。
【０００２】
【従来の技術】
従来の原稿の両面を読み取る技術は、主にシート原稿を反転させて片面ずつ読み取る手法が用いられている。ところで、原稿の両面を同時に読むことによって読取り時間を短縮する方法としては、例えば、特開平５−２３６２０８号公報では原稿の裏表両側に光源を設け、ミラーにより一つの光電変換素子に読取り情報を導いて各ライン毎に交互に読み取っていく方法が提案されている。
【０００３】
また、特開平６−３３８９８８号公報では、同じく一つの光電変換素子を用いて原稿読取り面の光路を切り替えて原稿を読み取る装置が提案されており、これは表面を一度読み取った原稿をスイッチバックさせながら、光路上のミラーの位置を切り替えて裏側をスキャンするようにしている。
【０００４】
また、文字情報と中間調情報とが混在した原稿の画像を処理する装置として、読取りのγテーブルの傾きを大きくした構成の装置や、エッジを強調する画像処理手段を備えた装置等が多数提案されている。
【０００５】
【発明が解決しようとする課題】
特開平５−２３６２０８号公報に記載された装置では、光路が原稿の裏表にわたって通過することになるため、原稿を読取るための光路を原稿配置の範囲外に設ける必要があった。このため、装置サイズを全体的に大きくせざるをえないので、装置サイズを小型化しにくい問題があった。
【０００６】
また、特開平６−３３８９８８号公報に記載された装置では、原稿をスイッチバックさせて裏表をそれぞれをスキャンするようにしているため、原稿の両面を同時に読み取ることはできず、読取り速度が遅くなってしまう問題があった。
【０００７】
また、「文字・絵混在モード」では、文字部分の黒を強調するためにγテーブルの傾きを大きく取る必要があるが、従来の原稿読み取り装置の場合には、γテーブルの傾きを大きくすると階調性が犠牲となってしまう問題があった。すなわち、文字情報の輪郭については、単なる中間調読取りモードで読み取った場合と比較してはっきりするが、中間調画像情報の階調性が犠牲となってしまい、豊かな画像表現ができない問題があった。
【０００８】
本発明は前述の問題点にかんがみ、シート原稿およびブック原稿の両方を同時に読み取ることができるようにすることを第１の目的とする。
また、原稿の両面を同時に読み取ることができる原稿読み取り装置の構成を小型化できるようにすることを第２の目的とする。
また、原稿の両面を同時に読み取ることができるようにするとともに、ブック原稿の読み取りもできるようにすることを第３の目的とする。
また、原稿の両面を読み取ることができる原稿読み取り装置の読取り速度を向上させる第４の目的とする。
また、中間調画像の階調表現が豊かな画像を出力できるようにすることを第５の目的とする。
【０００９】
【課題を解決するための手段】
本発明の原稿読み取り装置は、複数ページ原稿を順次読み取る第１の画像読取装置と、１枚原稿を読み取る第２の画像読取装置と、前記第１の画像読取装置で読み取る複数ページ原稿からページを選択するページ選択手段と、前記第１の画像読取装置で読み取った複数ページ原稿における複数の読取画像情報のうち、前記ページ選択手段で選択されたページの読取画像情報に、前記第２の画像読取装置で読み取った１枚原稿における読取画像情報を合成する画像情報合成手段とを有することを特徴としている。
【００１０】
また、本発明の原稿読み取り装置の他の特徴とするところは、前記第１の画像読取装置は、前記複数ページ原稿を１ページずつ順次移動させながら固定した第１の読取部で読み取ることを特徴としている。
【００１１】
また、本発明の原稿読み取り装置のその他の特徴とするところは、前記第２の画像読取装置は、静止した１枚原稿を移動する第２の読取部で読み取ることを特徴としている。
【００１２】
また、本発明の原稿読み取り装置のその他の特徴とするところは、前記ページ選択手段は、全ページの選択を一括して行う全ページ合成選択手段を有することを特徴としている。
【００１３】
また、本発明の原稿読み取り装置のその他の特徴とするところは、前記第１の画像読取装置及び前記第２の画像読取装置は、解像度、濃度、階調及び倍率のうち、少なくとも１つは夫々の画像読取装置に対して設定可能な設定手段を備えることを特徴としている。
【００１４】
また、本発明の原稿読み取り装置のその他の特徴とするところは、前記第１の画像読取装置による前記複数ページ原稿の読み取り動作のうち、前記ページ選択手段により選択されたページの読み取り動作と、前記第２の画像読取装置による前記１枚原稿の読み取り動作とを同時に行って、夫々の読み取り動作で読み取った読取画像情報を前記画像情報合成手段で合成することを特徴としている。
【００１５】
また、本発明の原稿読み取り装置のその他の特徴とするところは、前記第２の画像読取装置で読み取った読取画像情報を記憶する読取画像情報記憶手段を更に有し、前記画像情報合成手段は、前記ページ選択手段により選択されたページが複数であった場合には、前記読取画像情報記憶手段に記憶された読取画像情報を前記選択されたページの読取画像情報に合成することを特徴としている。
【００１６】
本発明の画像複写装置は、前記記載の原稿読み取り装置と、前記画像情報合成手段により合成された合成画像情報を記録する記録手段とを有することを特徴としている。
【００１７】
本発明のファクシミリ装置は、前記記載の原稿読み取り装置と、前記画像情報合成手段により合成された合成画像情報を回線に送信する通信手段とを有することを特徴としている。
【００１８】
また、本発明のファクシミリ装置の他の特徴とするところは、前記画像情報合成手段は、読み取り動作を行いながら前記回線に送信するモードでは画像読み取り動作中にその読取画像情報を合成し、一方、読み取った読取画像情報をメモリに蓄積してから前記回線に送信するメモリ送信モードでは送信直前に当該読取画像情報を合成することを特徴としている。
【００１９】
また、本発明のファクシミリ装置のその他の特徴とするところは、複数ページ原稿を移動させながら固定した第１の読取部で読み取る第１の画像読取装置と、静止した原稿を移動する第２の読取部で読み取る第２の画像読取装置と、前記第１の画像読取装置で読み取った第１の読取画像情報と前記第２の画像読取装置で読み取った第２の読取画像情報とを合成する画像情報合成手段と、前記画像情報合成手段により合成された合成画像情報を回線に送信する通信手段とを有し、前記画像情報合成手段は、読み取り動作を行いながら前記回線に送信するモードでは画像読み取り動作中に前記第１の読取画像情報と前記第２の読取画像情報とを合成し、一方、読み取った読取画像情報をメモリに蓄積してから前記回線に送信するメモリ送信モードでは送信直前に前記第１の読取画像情報と前記第２の読取画像情報とを合成することを特徴としている。
【００２０】
本発明の複合装置は、前記記載の画像複写装置と、前記記載のファクシミリ装置とを具備することを特徴としている。
【００２１】
本発明の原稿読み取り装置の制御方法は、複数ページ原稿の読み取り動作と、１枚原稿の読み取り動作とを同時に行う原稿読み取り装置の制御方法であって、前記複数ページ原稿のうち、前記１枚原稿の読取画像情報を合成させるページを選択するページ選択工程と、前記複数ページ原稿を順次読み取る複数ページ読取工程と、前記１枚原稿を読み取る１枚原稿読取工程と、前記ページ選択工程で選択されたページを前記複数ページ読取工程において読み取った第１の読取画像情報と、前記１枚原稿読取工程において読み取った第２の読取画像情報とを合成する画像情報合成工程とを有することを特徴としている。
【００２２】
また、本発明の原稿読み取り装置の制御方法の他の特徴とするところは、前記画像情報合成工程における合成モードを指定する合成モード指定工程を更に有し、前記合成モード指定工程において合成モードを指定することにより、前記ページ選択工程でページの選択動作が行われなかった場合に、前記複数ページ原稿の全ページを選択することを特徴としている。
【００２３】
また、本発明の原稿読み取り装置の制御方法のその他の特徴とするところは、前記複数ページ読取工程及び前記１枚原稿読取工程における解像度、濃度、階調及び倍率のうち、少なくとも１つを夫々の工程に対して選択する読取モード選択工程を更に有することを特徴としている。
【００２４】
また、本発明の原稿読み取り装置の制御方法のその他の特徴とするところは、前記１枚原稿読取工程は、前記複数ページ読取工程における前記ページ選択工程で選択されたページの読み取り動作と同時に行われることを特徴としている。
【００２５】
また、本発明の原稿読み取り装置の制御方法のその他の特徴とするところは、前記１枚原稿読取工程で読み取った前記第２の読取画像情報を記憶する１枚原稿記憶工程を更に有し、前記画像情報合成工程は、前記第１の読取画像情報と、前記１枚原稿記憶工程で記憶した前記第２の読取画像情報とを合成することを特徴としている。
【００２６】
また、本発明の原稿読み取り装置の制御方法のその他の特徴とするところは、前記画像情報合成工程により合成された合成画像情報を記録手段に記録する記録工程を更に有することを特徴としている。
【００２７】
また、本発明の原稿読み取り装置の制御方法のその他の特徴とするところは、前記画像情報合成工程により合成された合成画像情報を回線を介して送信する送信工程を更に有することを特徴としている。
【００２８】
また、本発明の原稿読み取り装置の制御方法のその他の特徴とするところは、複数ページ原稿の読み取り動作と、１枚原稿の読み取り動作とを同時に行う原稿読み取り装置の制御方法であって、前記複数ページ原稿を順次読み取る複数ページ読取工程と、前記１枚原稿を読み取る１枚原稿読取工程と、前記複数ページ読取工程で読み取った第１の読取画像情報と、前記１枚原稿読取工程で読み取った第２の読取画像情報とを合成する画像情報合成工程と、前記画像情報合成工程により合成された合成画像情報を回線を介して送信する送信工程とを有し、前記画像情報合成工程は、読み取り動作を行いながら前記回線に送信するモードでは画像読み取り動作中に前記第１の読取画像情報と前記第２の読取画像情報とを合成し、一方、読み取った読取画像情報をメモリに蓄積してから前記回線に送信するメモリ送信モードでは送信直前に前記第１の読取画像情報と前記第２の読取画像情報を合成することを特徴としている。
【００３１】
本発明は前記技術手段を有するので、シート原稿（１枚原稿）およびブック原稿（複数ページ原稿）の両方を同時に読み取ることができるため、装置全体のサイズを小型化することができるとともに、静止原稿（１枚原稿）の画像を移動原稿（複数ページ原稿）の各ページに対して選択して合成することができるため、利用者はどのページと合成させるかを任意に指定することができ、画像合成の自由度を向上させることができる。
【００３２】
また、本発明の他の特徴によれば、第１の原稿読取り装置及び第２の原稿読取り装置に対して異なる読取モード（解像度・濃度・階調及び倍率）を設定することが可能なので、解像度・濃度・階調及び倍率の少なくとも一つが異なる複数の原稿を合成することが可能なので、原稿の状態に合った最適の解像度・濃度・階調及び倍率で読み取ることができるようになる。
【００３３】
また、本発明のその他の特徴によれば、第１の原稿読取り装置で読み取った画像を画像情報記憶手段に記憶しておき、この記憶した原稿情報と前記第２の原稿読取り装置で読み取った原稿情報と合成させることができるので、記憶容量の節約によるコストダウンを図ることができる。
【００３４】
また、本発明のその他の特徴によれば、画像情報合成手段において、読み取り動作を行いながら回線に送信するモード（ダイレクト送信モード）では画像読み取り動作中に第１の読取画像情報と第２の読取画像情報とを合成し、一方、読み取った読取画像情報をメモリに蓄積してから回線に送信するメモリ送信モードでは送信直前に第１の読取画像情報と第２の読取画像情報とを合成するようにしたので、合成する原稿が複数にわたったとき、合成する同一の画像情報が冗長にメモリ蓄積されるのを防止して画像メモリの節約を図ることができる。
【００３５】
また、本発明のその他の特徴によれば、これらの機能を画像複写装置およびファクシミリ装置において実現することができる。
【００３６】
【発明の実施の形態】
（第１の実施形態）
本発明の原稿読み取り装置を備えた複写装置の断面図を図１に示し、斜視図を図２および図３に示す。
図１〜図３に示すように、本実施形態の原稿読み取り装置は、光源とミラーを移動させて副走査を行う縮小光学系の読取り部（ブックスキャナ部）５０の上面に原稿台ガラス５０ｈを設けている。
【００３７】
そして、前記原稿台ガラス５０ｈの上方に、装置の奥側を回転基準として開閉自在に取り付けられた原稿圧板部６０を設けるとともに、シート原稿を案内するためのスライダー６１を設けている。また、前記原稿圧板部６０の上部には、原稿分離機構を備えたシート原稿搬送部７０をさらに設けている。
【００３８】
シート原稿搬送部７０は、原稿給紙側から予備搬送部８１、分離部８２、原稿搬送部７１、原稿搬送路７０ａ、搬送路の下面に設けられた原稿裏面読取点Ａ１、搬送路の上面に設けられた原稿表面読取点Ａ３、搬送路上側に密着型イメージセンサ９０、最下流に設けられた原稿排紙部７２等により構成されている。また、原稿搬送部７１の上流側にＤＥＳ（原稿エッジ検知センサ）７４が配設されており、シート原稿Ｓのエッジ部分が検出されるようになされている。
【００３９】
原稿裏面読取点Ａ１は、原稿台ガラス５０ｈと同一部品で形成され、その下方にまで光源５０ｇおよび反射板５０ａが移動することができ、通過するシート原稿Ｓの裏面を照射することができるようになっている。また、シート原稿Ｓの表面読取点Ａ３の下方には読み取り白基準と原稿付勢作用を備えたマイラ部材が設けられていて、通過するシート原稿Ｓを密着型イメージセンサ９０に対して付勢する。なお、図１中において、５０ａは第１のミラー、５０ｂは第２のミラー、５０ｃは第３のミラーである。
【００４０】
本実施形態の装置は、原稿台ガラス５０ｈ上にブック原稿を載置するとともに光学系を移動させることにより副走査を行って原稿表面を読み取る、所謂「ブックスキャナ部」と、原稿台ガラス上方にシート分離機構を有する原稿搬送装置を備え、シート原稿Ｓを搬送しながら副走査を行って原稿を読み取る（流し読み）、所謂「シートスキャナ部」とを備えている。したがって、従来の複写機にみられるような、原稿を所定の位置に搬送した後で静止させて走査する場合と比較して、走査機構を簡素化することができるとともに、読み取り時間を短縮することができる。
【００４１】
ブックスキャナ部５０には、原稿台ガラス５０ｈ上に静止配置された原稿を鏡の反射で走査して得た原稿画像を光電変換するＣＣＤセンサ５０ｅが設けられている。原稿台ガラス５０ｈ上に載置された原稿は、第１のミラー５０ａとともに移動する光源５０ｇと反射板５０ｆとによって所定の明度になるように照射される。そして、原稿像は他の第２のミラー５０ｂ、第３のミラー５０ｃで反射されてレンズ群５０ｄに入射され、前記レンズ群５０ｄを介してＣＣＤセンサ５０ｅに入射される。そして、このＣＣＤセンサ５０ｅによって光電変換され、電気信号として画像処理部（図４のＣＰＵ３０１）へ送られる。
【００４２】
第１のミラー５０ａは、静止原稿を読むときは第１の読取点Ｂ１から第２の読取点Ｂ２迄の範囲を移動して原稿を読取る。また、原稿圧板部６０の上部に積載されたシート原稿Ｓを搬送しながら読み取る場合には、第１のミラー５０ａは原稿裏面読取点Ａｌの位置に移動して停止し、シート搬送部７０の原稿搬送路７０ａを通過する原稿を読み取る。
【００４３】
シート原稿Ｓが通過する高さは、バックアップローラ９５の位置によって決まるが、本実施形態の装置においては裏面読取り手段を構成するレンズ群として、ｆ値の大きなレンズ群５０ｄとＣＣＤセンサ５０ｅが用いられていて、原稿裏面読取点Ａ１での焦点深度を深くとることが可能となっている。したがって、原稿バックアップローラ９５は、原稿圧板部６０に取り付けることができ、原稿圧板部６０が原稿交換やジャム解除等のために開閉される構造となっても深度が十分保証された読取り機構を構成することができる。
【００４４】
分離部８０は、積載されたシート原稿Ｓの束から、下から一枚ずつシート原稿Ｓを分離して下流の原稿表面読取点Ａ３に搬送するものであり、バネで原稿方向に付勢された圧接アーム８１ａと、シート原稿Ｓの下面に接してこれを分離する分離ローラー８２ｂの方向に搬送する。分離ローラ８２ｂは、ゴム材で構成された分離片８２ａによって押下されたシート原稿Ｓの束から、最下端のシート原稿Ｓを引き出して下流へ搬送する。
【００４５】
１枚に分離されたシート原稿Ｓは、搬送ローラ７１ａによって一定の速度になるようにグリップされて下流に設定された読取点Ａ３及びＡｌの方向に送られる。シート原稿搬送路７０ａ上には光源およびレンズを内蔵した密着型イメージセンサ９０を下向きに配置しており、搬送されるシート原稿Ｓの上面を前記密着型イメージセンサ９０によって読み取るようにしている。
【００４６】
すなわち、シート原稿Ｓの裏面は原稿読取点Ａ１においてＣＣＤセンサ５０ｅによって読み取られ、表面は読取点Ａ３において密着型イメージセンサ９０によって読み取られる。そして、読取りが終わったシート原稿Ｓは、排紙ローラ７２ａによって排紙トレイ７３上に排紙される。
【００４７】
記録紙排紙部１０１は、記録部１０２の左側に配置されている。また、この記録紙排紙部１０１は、トナー一体型カートリッジ１０３を納めているカバーにもなっており、カートリッジカバー１０２ａを開けることにより、定着器１０２ｂと定着ローラ１０２ｃとの圧着力が解除され、転写ローラ１０２ｄと感光ドラム１０２ｅとの圧着力も解除されて記録紙のジャム解除とカートリッジの取り出しができるようになる。カートリッジ１０３は、操作性を考慮して左方斜め上に引き出すことができるようになっている。なお、１０２ｆは記録紙の先端を検知するためのセンサである。
【００４８】
次いで、１０４は画像生成のためのレーザー光学ユニットである。また、１０５はカセット記録紙給紙部、１０６はマルチトレイ給紙部で、マルチトレイ１０６ａを図１中の左側方向に開くことにより、操作しやすい位置で記録紙カセット以外の任意の記録紙を挿入することができる。１０７は記録紙カセットであり、１段から４段まで任意の段数を接続することができるようになっている。
【００４９】
図４は、本装置全体の制御系ブロック図を示している。ＣＰＵ３０１を中心に、外部インターフェース３０９を設け、大容量固定磁気ディスク３１０やＲＳ２３２Ｃ、シリアルインターフェースを接続することができる。これにより、本装置はコンピュータの周辺機器として接続することが可能となり、イメージスキャナやローカルプリンタ、ネットワークプリンタとしても利用することもできる。
【００５０】
内部のインターフェース３００は、操作部３０２、表示部３０３、読取り部３０４、記録部３０５、通信制御部３０６がある。
読取り部３０４は、固定読取り部３０４ａおよび移動固定読取り部３０４ｂによって構成され、前記固定読取り部３０４ａにシートスキャナ制御部３２３とブックスキャナ制御部３２４を有している。
【００５１】
３４０は画像合成手段に相当する画像合成部で、この画像合成部３４０はブックスキャナ部５０で読み取られた画像とシート原稿読取り部を構成する密着型イメージセンサ９０で読み取られた画像を選択して合成する。このようにするために、本実施形態の装置は、前記移動原稿の画像情報と前記静止原稿の画像情報をページ毎に選択する選択手段（図示せず）を具備している。なお、図４において、３１１はＭＰＵ、３１２はＲＯＭ、３１３はＲＡＭである。
【００５２】
次に、図２、図５および図６を用いて本装置の動作を説明する。なお、図２において、１１０は操作部、１１０ａはディスプレイ、１１０ｂはスタートキー、１１０ｃはワンタッチキー、１１０ｄはモードセットキー、１１１はディスプレイをそれぞれ示している。
【００５３】
まず、ステップＳ１において、操作部１１０上のコピー／ＦＡＸ切り替えキー１１０ａが押下されるたびにコピーとＦＡＸのモードが入れ代わるように成されており、コピーキーが押されるとステップＳ１２に進む。
【００５４】
ステップＳ１２においては、ディスプレイ１１１にコピー向けの内容のメニューを表示する。
次に、ステップＳ１３において、コピーの枚数のパラメータをユーザーが入力する。このキー入力が省略されたときには、１枚のみの処理となる。なお、画像を合成するモードをここで選択してもよい。
【００５５】
次に、ステップＳ１４に進み、スタートキー１１０ｂ、もしくはモードセットキー１１０ｄが押下されたか否かを判断する。そして、これらのキー１１０ｂ、１１０ｄが押下された場合には、ステップＳ１５に進み、動作モードが合成モードか否かを判断する。
【００５６】
ステップＳ１５の判断の結果、原稿合成モードが指定されていない場合はシートコピーモードなのでステップＳ２３に進み、解像度・階調・倍率を入力し（省略された場合には既定値で実行される）、次に、スタートキー１１０ｂを押下する。
【００５７】
次に、ステップＳ２４に進み、原稿有無検知手段であるＤＳセンサ（Ｄｏｃｕｍｅｎｔ  Ｅｄｇｅ  Ｓｅｎｓｏｒ）６２が「原稿有り」を検出したか否かを判断する。この判断の結果、ＤＳセンサ６２が「原稿有り」を検出した場合にはステップＳ２５に進み、シート原稿Ｓの副走査モードとする。また、ステップＳ２４の判断の結果、「原稿無し」を検出したときにはブックコピーモードなのでステップＳ２９に進み、「ブック原稿副走査モード」に移行する。
【００５８】
《ブックコピーモード》
ステップＳ２９においては、第１の原稿読取り手段を構成するブックスキャナ部５０の縮小光学系のミラー群と、光源５０ｇが読取り点Ｂ１からＢ２以内をスキャンして、画像情報を記録手段に送って出力する。
【００５９】
次に、ステップＳ３０において画像情報をプリントするが、同一原稿を複数枚コピーするときには、画像情報を画像メモリに蓄積しておき、プリント動作のたびに画像情報をプリント部に出力するようにしている。また、画像メモリの容量が足りない場合には、画像情報を画像メモリに蓄積せずに随時記録部に出力して記録紙、読取り光学系をその都度復帰させて読取りを行うようにする。
【００６０】
《シートコピーモード》
また、ステップＳ２４からステップＳ２５に進んだ場合には、シートモータ（図示しない）が原稿圧板部６０内の駆動系を動作させ、分離部８２でシート原稿Ｓを下から一枚繰り出して下流へ搬送する。
【００６１】
そして、次のステップＳ２６において、密着型イメージセンサ９０で原稿表面の画像を読み取り、その内容をステップＳ２７でコピーするとともに、排紙トレイ７３に排出する。
【００６２】
なお、シートコピーモードでの複数枚複写は、シート原稿Ｓを密着型イメージセンサ９０上を再度通過させることができないので、全て画像メモリに蓄積して記録部に出力するようにする。
【００６３】
次に、ステップＳ２８において、ＤＳセンサ６２が「原稿有り」を検出しているか否かを判断し、「原稿有り」を検出している場合にはステップＳ２５に戻って前述した動作を繰り返し行う。また、「原稿有り」を検出していない場合には動作を終了する。
【００６４】
《合成コピーモード》
ステップＳ１５の判断の結果、原稿合成モードが指定されている場合には、ステップＳ１５からステップＳ１６に進み、「合成コピーモード」の動作を行う。このモードでは、まず、最初にステップＳ１６において、シート・ブックでそれぞれ読取りモード（階調・解像度・倍率）を設定する。
【００６５】
次に、ステップＳ１７に進み、原稿台ガラス５０ｈ上の原稿をどのシート原稿Ｓのページに合成させるのか選択する。なお、総ての原稿画像に合成させるときは何も指定しない。
【００６６】
次に、ステップＳ１８においてシート給紙を行った後、ステップＳ１９に進み、シート及びブックの同時読み取りを行う。次に、ステップＳ２０及びステップＳ２１と順次進み、画像重ね合わせ及びコピーを行う。これは、合成ページが指定されている時には、そのページをシート読みするときにブック原稿を同時に読み取り、画像合成部３４０によって両画像の白黒情報を論理積で合成させる。
【００６７】
また、複数ページの合成が指示されているときには、ブック原稿は画像メモリに蓄積し、シート原稿Ｓを読み取るたびに論理積で合成して行く。例えば、図９に示すように、文字情報が記述された４ページのシート原稿Ｓに対して、３ページ目だけにハーフトーン画像を重ねあわせてコピーする場合は、重ねあわせたい画像情報を記述した１枚の原稿を、原稿台ガラス５０ｈ上に画像面を下向きにして配置し、文字情報の書かれた４枚のシート原稿Ｓを原稿積載台７５に画像面を下むきにして積載する。
【００６８】
操作部１１０から、３ページ目のみ画像合成する指示と、シート原稿Ｓを２値モードで読取る指示を入力するとともに、ブック原稿を６４階調ハーフトーンで読み取る指示を入力して、スタートボタン１１０ｂを押下する。
【００６９】
１枚目、２枚目のシート原稿Ｓは普通の１枚コピーと同様にコピーされ、３枚目のシート原稿Ｓの読取りが始まったとき、ブック原稿の読取りが始まる。そして、両方の読取り手段から出力される画像情報を論理積で合成して１枚のコピーと同様に記録手段に対して画像データを出力する。
【００７０】
例えば、社名ロゴなど、総てのページに同一の画像を合成したい場合には、ブック原稿の画像情報は画像メモリに蓄積され、シート原稿Ｓの読取りと同時に画像メモリから呼び出されて論理積で合成されていく。
【００７１】
次に、ステップＳ２２において、シート原稿Ｓが原稿積載台７５上にまだ積載されているか否かを調べ、積載されているときには次のシート原稿Ｓの搬送を始めてコピー動作を繰り返す。
【００７２】
一方、ステップＳ１の判断の結果、コピーキーが押されていなかった場合にはステップＳ２に進み、テンキーまたはワンタッチキーが押されたか否かを判断する。そして、押された場合にはステップＳ３にて動作モードがファックス送信モードに設定される。
【００７３】
次に、ステップＳ４において、合成モードか否かを判断する。この判断の結果、合成モードの場合にはステップＳ５〜ステップＳ１１のＦＡＸ合成モードの動作を行う。
【００７４】
《ＦＡＸ合成モード》
ステップＳ５〜ステップＳ１１では、ＦＡＸ原稿による画像合成モードの動作を示している。すなわち、ステップＳ５では、シート・ブックでそれぞれ読取りモード（階調・解像度・倍率）を設定する。
【００７５】
次に、ステップＳ６で合成ページ指定、ステップＳ７でシート給紙、ステップＳ８でブック・シート同時読取り、ステップＳ９では画像重ね合わせ、ステップＳ１０ではメモリ蓄積または送信を行い、ステップＳ１１ではシート原稿Ｓが原稿積載台７５上にまだ積載されているか否かを調べ、積載されているときにはステップＳ６に戻って前述した動作を繰り返す。
【００７６】
ＦＡＸの送信には、原稿を読み取りながら回線に送信する「ダイレクト送信モード」と、画像メモリに総ての原稿の画像情報を蓄積してから送信する「メモリ送信モード」がある。
【００７７】
ダイレクト送信モードでは、エンコード前に両画像の合成を行い、メモリ送信ではシート原稿Ｓとブック原稿の情報をそれぞれ別々に画像メモリに貯えておき、送信前に一度両画像をデコードして重ねあわせ、さらにエンコードして送信する。これにより、合成する原稿が複数にわたったとき、合成する同一の画像情報の冗長なメモリ蓄積を防止して画像メモリの節約を図ることができる。
【００７８】
《シートＦＡＸモード》
前述のシートコピーモードで、出力先を記録手段から通信手段へ切り替えることによって実現される。
このシートＦＡＸモードでは、まず、ステップＳ３１でシート・ブックでそれぞれ読取りモード（階調・解像度・倍率）を設定する。
【００７９】
次に、ステップＳ３２でシート原稿Ｓが原稿積載台７５上に積載されているか否かを調べ、積載されているときにはステップＳ３３に進んでシート給紙を行う。次に、ステップＳ３４でシート読取り、ステップＳ３５でメモリ蓄積または送信を行う。次に、ステップＳ３６でシート原稿Ｓが原稿積載台７５上に積載されているか否かを調べ、積載されているときにはステップＳ３３に戻って前述した動作を繰り返し行う。
【００８０】
《ブックＦＡＸモード》
前記ステップＳ３２の判断の結果、シート原稿Ｓが原稿積載台７５上に積載されていない場合にはステップＳ３７に進んでブックＦＡＸモードで動作する。
このブックＦＡＸモードは、前述のブックコピーモードにおける出力先を記録手段から通信手段へ切り替えることによって実現される。
【００８１】
すなわち、まず、ステップＳ３７でブック読み取り、ステップＳ３８でメモリ蓄積を行う。次に、ステップＳ３９で原稿交換または読取り終了の判断を行い、原稿交換の場合にはステップＳ３７に戻り、読取り終了の場合にはステップＳ４０で送信処理を行う。
【００８２】
（第２の実施形態）
次に、本発明の第２の実施形態を説明する。
図８に示すように、記録紙の反転ユニットを備えた装置では、原稿の裏面情報を記録した記録紙を反転させて再度記録手段へ搬送することにより、裏表の両面コピーを実現することも可能である。
【００８３】
給紙部１０５から給紙された記録紙は、原稿裏面の画像情報を記録すべく転写部１０２ｅに送られて転写される。そして、転写後は定着部１０２ｃにおいて定着され、記録紙排紙ローラ１０１ａによって排出される。
【００８４】
記録紙の後端がフラッパー２０１を通過した後、フラッパー２０１を移動させ、記録紙の後端部を排紙ローラ１０１ａで保持したまま排紙ローラ１０１ａのみを逆転させて記録紙反転搬送路２０３へ導く。
【００８５】
そして、スイッチバックして搬送された記録紙は、マルチフィーダ１０６から再び画像転写部に搬送され、メモリに蓄積されている画像情報を転写し、定着部１０２ｃにおいて定着されて排出される。このとき、記録紙は先に記録した原稿裏面の画像情報を下向きにして排出されるので、複数枚の両面複写においてもページ順で排紙して積載することができる。
【００８６】
（第３の実施形態）
本装置はファクシミリ送信、原稿複写にかかわらず、原稿の両面を読み取ることが可能である。この動作を図９のフローチャートに示す。
【００８７】
原稿の１ページ目を原稿圧板部６０上に乗せ、操作部１１０を操作して両面読み取り動作（両面コピー・両面ＦＡＸ）のキーを押下する。
キーが押下されると、まず、ステップＳ１０１において、原稿が原稿圧板部６０上に存在するか否かが判断される。
【００８８】
この判断の結果、原稿台上に原稿がないとき（ＤＳ＝ＯＦＦ）は終了となる。一方、原稿が存在することを確認したら、次に、ステップＳ１０２において、両面コピーモードが選択されているかどうか判断する。
【００８９】
この判断の結果、コピーモードの場合にはステップＳ１０３の両面コピーモードに進み、コピーモードで無い場合にはステップＳ１１９の両面送信モードに進む。
【００９０】
ステップＳ１０３では、操作部１１０からコピー枚数を入力し、次いで、ステップＳ１０４でスタートキーが押下されたか否かを判断する。
次に、ステップＳ１０５では、原稿両面を分割して出力するのか、あるいは合成して出力するのか、どちらのモードが選択されているか判断する。
【００９１】
《両面原稿→２枚に分割してコピー》
ステップＳ１０６〜ステップＳ１１１の各ステップにより実行される両面分割コピーでは、まず、ステップＳ１０６において、操作部１１０から指示された解像度・階調・倍率に従って原稿を読み取る。この読み取りは、スタートキーが押下された後に最下紙から始める。密着型イメージセンサ９０の読取点Ａ３に原稿が達すると、密着型イメージセンサ９０によって原稿表面の画像情報がメモリに蓄積される。
【００９２】
一方、原稿がＣＣＤセンサ５０ｅの読取点Ａ１に達すると、原稿裏面をＣＣＤセンサ５０ｅによって読み取り、複数枚のコピーが指定されている場合には表面読み取りと同様にメモリに原稿裏面の画像情報を蓄積する。なお、１枚ずつのコピーの場合、ＣＣＤセンサ５０ｅで読み取った画像情報はメモリ蓄積せずにそのまま記録手段へ同期出力して記録する。
【００９３】
１ページ目の読み取り終了後は、メモリ内の原稿表面の画像情報を記録手段によって記録紙に印刷して出力する。これにより、原稿裏面の画像情報を表面よりも先に出力することができるため、ページ順排紙を行うことができる。２ページ以降も１ページ目と同様に読み取りを行って出力する。
【００９４】
《両面原稿→片面に合成してコピー》
合成両面コピーの場合は、まず、ステップＳ１１２において、原稿の表面、裏面それぞれ異なる解像度・濃度・階調・倍率を指定する。
【００９５】
次に、スタートキー押下後、ステップＳ１１３〜ステップＳ１１４で、シート原稿Ｓは密着型イメーシセンサ９０とＣＣＤセンサ５０ｅで読み取られる。
【００９６】
次に、２つの読み取り手段で読み取った画像情報を、ステップＳ１１６で主走査毎に論理積により合成し、ステップＳ１１７で記録手段にて出力してプリントアウトする。
次に、ステップＳ１１８で原稿圧板部６０上に原稿がまだ残されているか否かを判断し、残っている場合には再び原稿を一枚給紙してコピーする。
【００９７】
《両面原稿→２枚に分割して送信》
ステップＳ１０２の判断の結果、両面送信モードに進んだ場合には、まず、ステップＳ１１９においてファックス送信モードに設定する。
【００９８】
次に、ステップＳ１２０においてブック読取り・光学系移動を行い、その後、ステップＳ１２１においてシート給紙を行う。次いで、ステップＳ１２２に進み、ブック・シート同時読取りを行う。次に、ステップＳ１２３において片面ずつメモリ蓄積を行い、それが終了したらステップＳ１２４において原稿圧板部６０上に原稿がまだ残っているか否かを判断する。
【００９９】
ステップＳ１２４の判断の結果、原稿が残っている場合にはステップＳ１２１に戻り前述した動作を繰り返し行う。また、原稿が残っていない場合にはステップＳ１２５に進んで原稿送信を行い、次に、ステップＳ１２６においてブック光学系を初期位置に戻した後に、送信終了後に送信モードを終了する。以上のようにして、２つの読み取り手段で読み取った画像をそれぞれメモリに蓄積してファクシミリ送信する。
【０１００】
（本発明の他の実施形態）
本発明は複数の機器（例えば、ホストコンピュータ、インタフェース機器、リーダ、プリンタ等）から構成されるシステムに適用しても１つの機器からなる装置に適用しても良い。
【０１０１】
また、前述した実施形態の機能を実現するように各種のデバイスを動作させるべく、前記各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【０１０２】
また、この場合、前記ソフトウェアのプログラムコード自体が前述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【０１０３】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等の共同して前述の実施形態の機能が実現される場合にもかかるプログラムコードは本発明の実施形態に含まれることは言うまでもない。
【０１０４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【０１０５】
【発明の効果】
以上説明したように、本発明によれば、シート原稿（１枚原稿）およびブック原稿（複数ページ原稿）の両方を同時に読み取ることができるため、装置全体のサイズを小型化することができるとともに、静止原稿（１枚原稿）の画像を移動原稿（複数ページ原稿）の各ページに対して選択して合成することができるため、利用者はどのページと合成させるかを任意に指定することができ、画像合成の自由度を向上させることができる。
【０１０６】
また、本発明の他の特徴によれば、第１の原稿読取り装置及び第２の原稿読取り装置に対して異なる読取モード（解像度・濃度・階調及び倍率）を設定することが可能なので、解像度・濃度・階調及び倍率の少なくとも一つが異なる複数の原稿を合成することが可能なので、原稿の状態に合った最適の解像度・濃度・階調及び倍率で読み取ることができ、中間調画像の階調表現が豊かな画像を出力することができる。
【０１０７】
また、本発明のその他の特徴によれば、第１の原稿読取り装置で読み取った画像を画像情報記憶手段に記憶し、第２の原稿読取り装置で読み取った原稿と合成させることができるので、第１の原稿読取り装置で読み取った静止原稿の画像を画像情報記憶手段に蓄積し、移動原稿を第２の原稿読取り装置で読み取るときに前記画像情報記憶手段内のデータと合成して出力することが可能となり、記憶容量を節約してコストダウンを図ることができる。
【０１０８】
また、本発明のその他の特徴によれば、画像情報合成手段において、読み取り動作を行いながら回線に送信するモード（ダイレクト送信モード）では画像読み取り動作中に第１の読取画像情報と第２の読取画像情報とを合成し、一方、読み取った読取画像情報をメモリに蓄積してから回線に送信するメモリ送信モードでは送信直前に第１の読取画像情報と第２の読取画像情報とを合成するようにしたので、合成する原稿が複数にわたったとき、合成する同一の画像情報が冗長にメモリ蓄積されるのを防止して画像メモリの節約を図ることができる。
【０１０９】
また、本発明のその他の特徴によれば、装置全体のサイズが小型化され、原稿に合った最適の階調・解像度・倍率で読み取ることができる画像複写装置およびファクシミリ装置を提供することができる。
【図面の簡単な説明】
【図１】本発明の実施形態を示す装置の断面図である。
【図２】実施形態の装置の外観斜視図である。
【図３】実施形態の装置の原稿圧板部を開けた状態を示す外観斜視図である。
【図４】実施形態の装置の制御系ブロックを説明する図である。
【図５】実施形態の動作を説明するためのフローチャートである。
【図６】実施形態の動作を説明するためのフローチャートである。
【図７】実施形態の画像合成を模式的に示す図である。
【図８】第２の実施形態の装置の断面図である。
【図９】第３の実施形態の装置の動作を説明するためのフローチャートである。
【符号の説明】
１６  原稿サイズ指標
５０  ブックスキャナ部
５０ａ  第１のミラー
５０ｂ  第２のミラー
５０ｃ  第３のミラー
５０ｄ  レンズ
５０ｅ  ＣＣＤセンサ
５０ｆ  反射板
５０ｇ  光源
５０ｈ  原稿台ガラス
６０  原稿圧板部
６１  スライダ
６２  ＤＳ（原稿有無検知センサ）
７０  シート搬送部
７０ａ  原稿搬送路
７１ａ  原稿搬送ローラ
７２ａ  原稿排紙ローラ
７３  排紙トレイ
７４  ＤＥＳ（原稿エッジ検知センサ）
８０  分離部
８１ａ  圧接アーム
８２ａ  分離片
８２ｂ  分離ローラー
９０  密着型イメージセンサ
９０ａ  白地
１０１  記録紙排紙部
１０２  記録部
１０２ａ  カートリッジカバー
１０２ｂ  定着器
１０２ｃ  定着ローラ
１０２ｄ  転写ローラ
１０２ｅ  感光ドラム
１０２ｆ  記録紙先端検知センサ
１０３  トナーカートリッジ
１０４  レーザー光学ユニット
１０５  カセット記録紙給紙部
１０６  マルチトレイ給紙部
１０６ａ  マルチトレイ
１０７  記録紙カセット
１１０  操作部
１１０ａ  ディスプレイ
１１０ｂ  スタートキー
１１０ｃ  ワンタッチキー
２０１  フラッパー
２０３  反転搬送路
３０１  ＣＰＵ
３０２  操作部制御部
３０３  表示部制御部
３０４ａ  固定読取制御部
３０４ｂ  移動読取制御部
３０５  記録部制御部
３０６  通信制御部
３０９  外部インターフェース
３４０  画像合成部
【図１】
0003581524.tif 000002
【図２】
0003581524.tif 000003
【図３】
0003581524.tif 000004
【図４】
0003581524.tif 000005
【図５】
0003581524.tif 000006
【図６】
0003581524.tif 000007
【図７】
0003581524.tif 000008
【図８】
0003581524.tif 000009
【図９】
0003581524.tif 000010